(57)【要約】【課題】顧客側にとってはペットをよく見ることができるとともに、店員の説明もよく聞け、店側にとっては商品たるペットのアピールを効果的にすることが可能で販売促進を図れるようなペット用展示販売ケースの提供。【解決手段】ペットＰを収容するペット収容室２２を有するペット収容部２１が、床面Ｆ上に設置される基台部３１の上に設けられ、前記ペット収容部２２の前面２１ａと上面２１ｂと側面２１ｃと後面２１ｄが透光性を有するガラス板で形成されるとともに、前記上面２１ｂが、顧客ＣＵ１が上から覗き込める高さに設定され、テーブル面兼用であるペット用展示販売ケース１１。【選択図】図１
2011024644.tif 000002
【特許請求の範囲】
【請求項１】
ペットを収容する空間を形成するペット収容部が基台部の上に設けられ、
前記ペット収容部の少なくとも前面と上面が透光性を有する板材で形成された
ペット用展示販売ケース。
【請求項２】
前記ペット収容部の側面が透光性を有する板材で形成された
請求項１に記載のペット用展示販売ケース。
【請求項３】
前記基台部が床面に設置されるものであるとともに、
前記ペット収容部の上面の高さが、上から覗き込める高さに設定された
請求項１または請求項２に記載のペット用展示販売ケース。
【請求項４】
前記基台部が床面に設置されるものであるとともに、
前記ペット収容部の上面が、テーブル面兼用である
請求項１または請求項２に記載のペット用展示販売ケース。
【請求項５】
前記ペット収容部の後面側端部に、ペット収容部の内底面から立ち上がる立設壁が形成され、
該立設壁又はその近傍に、前記ペット収容部内の空気を前記基台部側に排気する排気路が形成された
請求項１から請求項４のうちのいずれか一項に記載のペット用展示販売ケース。
【請求項６】
前記排気路の上流側の入り口が、前記立設壁の上面又はその近傍に形成された
請求項５に記載のペット用展示販売ケース。
【請求項７】
前記ペット収容部が平面視長方形状に形成されるとともに、該ペット収容部内の空間が、長手方向に並ぶ複数のペット収容室に間仕切りによって区分された
請求項１から請求項６のうちのいずれか一項に記載のペット用展示販売ケース。
【請求項８】
前記間仕切りが、透光性を有する板材で形成された
請求項７に記載のペット用展示販売ケース。
【発明の詳細な説明】
【技術分野】
【０００１】
この発明は、ペットショップ等においてペットを販売するときに用いられるペット用展示販売ケースに関し、より詳しくは、ペットの新しい販売形態を得られ、展示効果を高めることもできるようなペット用展示販売ケースに関する。
【背景技術】
【０００２】
ペットは、たとえば下記特許文献１、２に開示されたようなケース等に入れて販売されていた。これらのケース等は、ペットを収容する空間を有した直方体状をなし、例えば重ねた状態で店舗内の壁面に並べて使用されていた。
【０００３】
顧客は自由に店内を移動し、必要に応じて店員に説明を求めて、ペットの購入を決めていた。
【０００４】
このようなケース等に入れての販売のほか、下記特許文献３に開示されたように、放し飼い状態で展示することも提案されている。
【先行技術文献】
【特許文献】
【０００５】
【特許文献１】登録実用新案第３０００９９１号公報
【特許文献２】特開２００８−２７８７６６号公報
【特許文献３】特開２００９−８２０７８号公報
【発明の概要】
【発明が解決しようとする課題】
【０００６】
しかし、ケース等に収容しての販売では、顧客は基本的に正面側からしかペットを見ることができない。このため、ペットの詳しい様子は分かりにくい。許可を得て抱かせてもらってはじめて分かるより、予め分かるほうが顧客にとってはメリットがある。
【０００７】
また、店員に説明を求める場合には、店員に目的のペットの前まで来てもらい、ペットの前で並んでやり取りしていたが、このようなやり取りは、絵画のように平面的ではないペットの説明には、不適切または不十分な場合があった。
【０００８】
一方、放し飼い状態の場合には、ペット間において病気の伝染のおそれがある。
【０００９】
そこで、この発明は、顧客側にとってはペットをよく見ることができるとともに、店員の説明もよく聞け、店側にとっては商品たるペットのアピールを効果的にすることが可能で販売促進を図れ、さらにペットの病気の伝染を回避できるようにすることを主たる目的とする。
【課題を解決するための手段】
【００１０】
そのための手段は、ペットを収容する空間を形成するペット収容部が基台部の上に設けられ、前記ペット収容部の少なくとも前面と上面が透光性を有する板材で形成されたペット用展示販売ケースである。
【００１１】
ペット収容部に収容されたペットを前面からのほか、上面からも見ることができ、ペットを全体的に一目で観察できる。ペット収容部の側面も透光性を有する板材で形成されていれば、側面からもペットを観察できる。
【００１２】
また、前記基台部は、その上のペット収容部を支えるとともに、ペット収容部の外観上の価値を高める。
【００１３】
前記基台部が床面に設置されるものであるとともに、前記ペット収容部の上面の高さが、上から覗き込める高さに設定されたり、前記ペット収容部の上面がテーブル面兼用であったりする場合には、ペット収容部を介して顧客と店員がより接近した対面状態でペットの説明や質問等のやり取りをすることができ、お互いの意思の疎通を図れ、錯誤がおこることをなくせる。
【発明の効果】
【００１４】
この発明によれば、ペット収容部の少なくとも前面と上面が透光性を有する板材で形成されているため、ペットを正面からのほか上からも、斜めからも見ることができる。この結果、顧客側にとっては一目でペットをよく見ることが可能である。また、このような状態で店員とのやり取りができるので、店員の説明もよく聞け、適切な質問もできる。
【００１５】
一方、店側にとっては人気のあるペット等を収容するなどして、店内のよく見える位置や、他の展示販売ケース等に関連させて配置することにより、商品たるペットの展示効果を高めて、販売促進を図ることができる。このペット用展示販売ケースは基台部を備えるので、ペット収容部を引き立てるような外観にできるとともに、そのまま床面に設置することもでき、自由に使用できて、店内のレイアウトの自由度が高い。
【００１６】
さらに、ペットは放し飼い状態ではなく、ペット収容部に収容されるので、ペット間の病気の伝染を容易に回避できる。
【図面の簡単な説明】
【００１７】
【図１】ペット展示販売ケースの使用状態の斜視図。
【図２】ペット展示販売ケースの斜視図。
【図３】ペット展示販売ケースの正面図。
【図４】ペット展示販売ケースの背面図。
【図５】ペット展示販売ケースの平面図。
【図６】ペット展示販売ケースのペット収容部における横断面図。
【図７】図６の一部拡大図。
【図８】ペット展示販売ケースの側面図。
【図９】ペット展示販売ケースの縦断面図。
【図１０】ペット展示販売ケースを並べた状態の斜視図。
【図１１】立設壁部分の断面図。
【図１２】排気路を示す拡大断面図。
【図１３】ペット展示販売ケースを用いたペット販売ブース構造の一例を示す概略平面図。
【図１４】図１３の正面図。
【図１５】ペット販売ブース構造における奥のペット収容室の一部の構造を示す横断面図。
【図１６】ペット展示販売ケースを用いたペット販売ブース構造の他の例を示す概略平面図。
【図１７】ペット展示販売ケースを用いたペット販売ブース構造の他の例を示す概略平面図。
【図１８】他の例に係るペット展示販売ケースの斜視図。
【発明を実施するための形態】
【００１８】
この発明を実施するための一形態を、以下図面を用いて説明する。  
図１は、犬などのペットを販売するためのペットショップ等に設置されるペット用展示販売ケース１１（以下、「展示販売ケース」という。）の使用状態を示す斜視図である。
【００１９】
この展示販売ケース１１は、ペットＰを収容する空間を形成するペット収容部２１が、床面Ｆに設置される基台部３１の上に設けられ、前記ペット収容部２１の前面２１ａと上面２１ｂと両側面２１ｃと後面２１ｄが透光性を有するガラス板で形成されている。そして、上面２１ｂの高さは、成人が上から覗き込める高さ、換言すれば、床面から１００ｃｍ程度の、いわゆる腰高程度、カウンター高さに設定されている。
【００２０】
このため、図１に仮想線で示したように、展示販売ケース１１の前記前面２１ａ側には顧客ＣＵ１，ＣＵ２が、前記後面２１ｄ側には店員ＣＬが立って、展示販売ケース１１を挟んで対面状態で会話ができる。成人の顧客ＣＵ１や店員ＣＬは、展示販売ケース１１の前記上面２１ｂに肘をつけることが可能で、子どもの顧客ＣＵ２は、よりペットＰに近い位置で前記前面２１ａ越しに前記ペット収容部２１内のペットＰを見ることが可能である。また、前記上面２１ｂは、テーブル面としても使用できる。
【００２１】
図２は、展示販売ケース１１の斜視図、図３はその正面図、図４はその背面図、図５はその平面図で、図６は、ペット収容部２１部分における展示販売ケース１１の横断面図であり、図７は図６の一部の拡大図、図８は展示販売ケース１１の側面図、図９はその縦断面図である。
【００２２】
これらの図に示したように、展示販売ケース１１は全体として直方体状であり、下側部分が前記基台部３１、上側部分が前記ペット収容部２１である。そして、ペット収容部２１内は、長手方向に区分された複数のペット収容室２２を有している。
【００２３】
まず、基台部３１について説明する。  
基台部３１は中空構造であり、内部に、前記ペット収容室２２に対応させて複数の、開閉可能な物品収納部３２が設けられている。開閉のための開閉扉３３は、基台部３１の後面３１ｄに設けられる。また、後面３１ｄの開閉扉３３の上方には、図４に示したようにコンセント３４が設けられている。
【００２４】
前記開閉扉３３は、図示例においては観音開き状のものを示したが、一枚ものの扉であるも、引き戸式のものであるもよい。
【００２５】
基台部３１の側面３１ｃは平らに形成され、可能な限り前記ペット収容部２１の側面２１ｃと面一に形成される。複数台を接続状態で設置したときにペット収容部２１間に隙間ができることを極力抑えることができるからである。
【００２６】
基台部３１の前面３１ａも同様であるが、下端部には、照明手段を内蔵している。すなわち、基台部３１の前面３１ａを構成する基台前面板３５の下端３５ａを展示販売ケース１１の下端位置（床面Ｆ）よりも高い位置に設定し、この基台前面板３５より後方に適宜距離隔てた位置に後退板３６が備えられている。これら基台前面板３５と後退板３６との間に天井板３７が設けられ、この天井板３７に、照明手段としての蛍光灯３８が下に向けて装着される。これにより、間接照明ができる。
【００２７】
なお、図２〜図９に示した展示販売ケース１１は、図１０に示したように左右に２台並べて使用するもののうちの一方を示したものであるので、基台部３１の両側面３１ｃのうちの一方側の側面３１ｃの前面側下端部３１ｅを、下まで延ばして、照明手段を内蔵した部分を閉塞している。単独で用いる展示販売ケースにおいては、両側面の前面側下端部を下まで延ばすとよい。
【００２８】
前記基台部３１の外観は、ペット収容部２１を引き立てるような所望の外観に形成される。図中、３９はアジャスタ、３１ｆは隠蔽部である。前記アジャスタ３９に代えてキャスタを用いることもできる。
【００２９】
次に、ペット収容部２１について説明する。  
ペット収容部２１は、前面２１ａと上面２１ｂと両側面２１ｃがガラス板からなる前面板２３、上面板２４、側面板２５を一体に接合して、前記基台部３１上に固定されている。そして、内部を、前述のように長手方向に複数のペット収容室２２に区分するため、前面板２３と上面板２４には、側面板２５と平行に間仕切り２６が固定されている。この間仕切り２６も、透光性を有するガラス板で構成されている。各板２３，２４，２５，２６の接合は、気密状態を保つように行われる。
【００３０】
透光性を有するガラス板としては、透明なものは勿論のこと、有色のものやマジックミラー（ハーフミラー）であるもよい。マジックミラーを用いれば、照度、照明の配置等の設定により、ペットＰと人間双方にとっての視認性を変化させることができる。
【００３１】
なお、図示例では、長手方向に間隔をあけて２枚の間仕切り２６が設けられて、長手方向に並ぶ３個のペット収容室２２に区分されているが、間仕切り２６の間隔は等間隔でも、異なる間隔であるもよく、間仕切り２６は１枚でも３枚等でもよい。複数のペット収容室２２を１台の展示販売ケース１１に備えるので、効率よく見やすい展示ができる利点があるが、店舗の構造等によっては、間仕切りを設けず１個のペット収容室２２のみを有する構成であるもよい。
【００３２】
そして、後面２１ｄには、ペット収容室２２ごとに、透光性を有するガラス板からなる観音開き状の収容室開閉扉２７が開閉可能に設けられる。これにより、基台部３１の上方の空間を包囲することができる。収容室空間２７は、周知のマグネットキャッチにより閉じた状態を保持でき、施錠もできるように取り付けられている。
【００３３】
前記前面板２３、上面板２４、側面板２５の接合部分は気密状態を保つように行われる一方、後面２１ｄ側は通気性を有する。すなわち、前記収容室開閉扉２７と、上面板２４、側面板２５及び間仕切り２５との間の隙間、収容室開閉扉２７間の隙間、さらには収容室開閉扉２７に設けられた孔部を通して、空気の流通が可能である。図４中、２７ａは通気孔、２７ｂは吸水器取り付け孔、２７ｃはコード等挿通孔である。
【００３４】
なお、収容室開閉扉２７は、透光性を有するものではなくともよい。例えば、柵やパネル、鏡などで構成することもできる。また、観音開きであると開放時の省スペース化を図れるとともに、ペット収容室２２の必要部分のみを開放できる利点があるが、たとえば片開き、一部のみが開閉する構造、その他の構造であるもよく、さらには開閉扉を設けずに開放状態のままであるもよい。
【００３５】
また、前記収容室開閉扉２７は、図１１に示したように、ペット収容室２２の内底面２２ａよりも高い位置に設けられる。すなわち、ペット収容室２２の後面２１ｄ側端部に、ペット収容室２２の内底面２２ａから立ち上がる立設壁２２ｂが形成され、この立設壁２２ｂの上に、収容室開閉扉２７の下端が設けられる。
【００３６】
立設壁２２ｂは、ペット収容室２２の底部を構成する底板２８の後縁を高くして形成される。また、立設壁２２ｂの前面側には、薄い金属板製のカバー部材２９が取り付けられる。カバー部材２９は、側面視逆Ｌ字状をなし、上面部２９ａの端部を立設壁２２ｂの上面に固定したときに、カバー部材２９の垂直面部２９ｂが立設壁２２ｂの前方に隙間２２ｃが形成される。
【００３７】
立設壁２２ｂの高さは、収容されるペットＰが容易に飛び出すことを防止できる高さであるのが好ましい。このような立設壁２２ｂがあると、収容室開閉扉２７を開けたときにペットＰが飛び出すのを抑制できるとともに、ペット収容室２２に収めたトレーなどの物品が不測に落ちることを防止できる。
【００３８】
前記ペット収容部２１の側面２１ｃにおける立設壁２２ｂとカバー部材２９に対応する部分は、前記隠蔽部３１ｆによって隠蔽され、外側から見えないようにされている。
【００３９】
また立設壁２２ｂの近傍には、前記ペット収容室２２内の空気を基台部３１側に排気する排気路４１が形成されている。すなわち、前記底板２８の立設壁２２ｂの前方であって、前記カバー部材２９で覆われて形成された隙間２２ｃの下に、上下方向に貫通する通気孔２８ａが形成される。この通気孔２８ａは、図７に示したように長手方向に長い形状で、長手方向に沿って複数本形成されている。
【００４０】
この通気孔２８ａにペット収容室２２内の空気を流下させることを可能にするため、図１２に示したように、前記カバー部材２９の上面２９ａに、図７に示したような前後方向に長い複数本のスリット状の入り口２９ｃが形成されている。すなわち、前記排気路４１は、入り口２９ｃ、隙間２２ｃおよび通気孔２８ａで構成される。図１２中、２９ｄはカバー部材２９を固定するためのねじ部材である。
【００４１】
使用時には展示販売ケース１１の後面側、下方側が負圧になるように設定されるので、前記排気路４１の上流側の入り口であるカバー部材２９の入り口２９ｃを入った空気は、立設壁２２ｂとカバー部材２９の間の隙間２２ｃと通気孔２８ａを通って、下流側である基台部３１側に流れる。具体的には、前記通気孔２８ａの下流側の物品収納部３２を通して所望部位に排気するほか、前記通気孔２８ａにホース（図示せず）を接続して所望部位に排気する。このため、展示販売ケース１１の前面側に臭い等が流れるのを防止できるとともに、ペット収容室２２ごとに空気が排気されるので、ペット収容室２２ごとに完全に区分されていることとあいまって、ペット間での病気の伝染を防止できる。
【００４２】
前述のようなカバー部材２９を備えるので、通気孔２８ａを顧客側から隠蔽することができ、外観を損ねない。また、通気孔２８ａに物品等が落ちることを防止できるとともに、ペットＰの排泄物が上からかからない限り排泄物が通気孔２８ａ及ぶことはないので、手入れが簡単である。
【００４３】
このように構成された展示販売ケース１１では、店内の適宜位置に設置され、使用される。設置位置は、図１に示したように、店員ＣＬと顧客ＣＵ１，ＣＵ２を仕切る部分であるとよい。
【００４４】
設置の仕方は、図１０に示したように複数の展示販売ケース１１を一直線上に並べるほか、たとえば平面視Ｌ字状、コ字状、略ロ字状等、適宜並べて使用することができる。また、ペット収容部２１の側面２１ｃから内部を透視できる構造であるため、設置に際しては、展示販売ケース１１の側面が露出するように行うと、顧客ＣＵ１，ＣＵ２に見え易い。
【００４５】
使用に際しては、各ペット収容室２２に周知のペットトレーなどを置いてペットＰを収容し、必要に応じて、吸水器、ヒーター、遊具などを入れておく。
【００４６】
展示販売ケース１１のペット収容部２１は、上面２１ｂと周囲の４面２１ａ，２１ｃ，２１ｄと間仕切り２６が透光性を有するガラス板からなるので、顧客ＣＵ１，ＣＵ２は遠くからでも収容されているペットを視認することができる。側面２１ｃもガラス板からなるので、端のペット収容室２２のペットＰも斜め方向から視認可能である。しかも、１個のペット収容室２２のみではなく、複数のペット収容室２２を斜めからでも一度に、重ねるように見ることができる。このため、顧客ＣＵ１，ＣＵ２にとっては望みのペットＰを、ペットごとに見る場合と違って、探し易い。
【００４７】
また、店員ＣＬ側と顧客ＣＵ１，ＣＵ２側を仕切るように設置され、しかも、ペット収容部２１の上面がテーブル面を兼用する高さであるので、図１に示したように、店員ＣＬとの垣根が低い状態となり、目的とするペットＰを挟んだ状態でペットＰについての説明を受け、質問をするなどのやり取りが効率よく行える。書面を見ながらの説明やサインをするなどの事務的な処理もできる。この結果、ペットＰの選択などを誤ることもなく、適切で迅速な取引を促進できる。
【００４８】
一方で、店側にとっては、人気のあるペット、珍しいペットを展示販売ケース１１に収容して、店内のよく見える位置や他の展示販売ケース等に関連させて配置することにより、ペットＰの展示効果を高めることができる。ペット販売に用いるこの展示販売ケース１１自体の斬新さと相まって、購買意欲を刺激する展示が可能である。この結果、集客を実現し、販売の促進を図ることができる。
【００４９】
前述のような展示販売ケース１１を用いたペット販売用ブース構造１１１（以下、「ブース構造」という。）の一例を、以下説明する。この説明において、前述の構成と同一又は同等の部位については同一の符号を付して、その詳しい説明を省略する。
【００５０】
図１３はブース構造１１１の概略平面図で、図１４はその正面図である。このブース構造１１１は、主として顧客ＣＵ１，ＣＵ２が自由に移動できる顧客側空間１１２と、主として店員ＣＬが自由に移動できる店員側空間１１４と、原則として店員ＣＬのみが入れる準店員側空間１１４を有する。
【００５１】
この準店員側空間１１４は、直線状に区分された店員側空間１１３の一部を平面視長方形状に侵食する形で形成され、準店員側空間１１４内における顧客側空間１１２側の端に、前記展示販売ケース１１を２台、直列配設している。
【００５２】
そして、並べられた展示販売ケース１１の長手方向の一方（図面左側）には、準店員側空間１１４に対する顧客ＣＵ１，ＣＵ２の出入りを許容する顧客出入口１１５が形成されている。この顧客出入口１１５には施錠できる扉１１５ａが設けられ、許可なしには顧客ＣＬが入れないように規制する。
【００５３】
また、展示販売ケース１１と対向する奥の壁面には、ペットＰを収容するペット収容室１１６が形成されている。このペット収容室１１６は複数形成され、ペット収容室群１１７とされる。
【００５４】
ペット収容室群１１７は、個々にペット収容室１１６を有するケースを並べて構成するも、前記展示販売ケース１１のように複数のペット収容室１１６を有するケースを用いて構成するも、いずれでもよい。
【００５５】
これらのペット収容室１１６の形成にあたっては、ペット収容室１１６が展示販売ケース１１の手前側から見えるように、ペット収容室１１６が準店員側空間１１４の高さ方向の中間位置から上に設けられる（図１４参照）。換言すれば、準店員側空間１１４の足元部分にはペット収容空間１１６を形成しないで、壁面を形成するか、収容スペース等に利用する。
【００５６】
このようにペット収容室１１６を形成することによって、顧客ＣＵ１，ＣＵ２にとって手を伸ばせば届くような、届かないような、微妙な距離感を演出できる。そして、離れた位置からでも見やすい展示を可能にし、込み入った感じがなくスペース的に余裕のある様子を見せることによって、高級感を醸し出すことができる。
【００５７】
前記ペット収容室１１６については、その内部の奥又はその近傍に、光を反射する反射構造が設けられる（図１５参照）。反射構造のためには、鏡や鏡面加工した部材が用いられる。
【００５８】
すなわち、図１５（ａ）に示したように、ペット収容室１１６を形成する複数のケース１１８の後面を、鏡１１９で構成することができる。このとき、図１５（ｂ）に示したように、各ケース１１８の側面１１８ａを、透光性を有するガラスやアクリル板等の材料で構成すると、斜めからの視認性を妨げることはなく、前記展示販売ケース１１の間仕切り２６をガラス板で構成した場合と同様の効果が得られる。
【００５９】
ケース１１８が複数のペット収容室１１６を有する場合には、図１５（ｃ）に示したように、ケース１１８の後面を全体的に鏡１１９で形成すればよい。
【００６０】
また、ケースのみに反射構造を持たせるのではなく、図１５（ｄ）に示したように、奥側の壁面１２０と協働した反射構造を構成することもできる。すなわち、壁面１２０に鏡１１９を固定し、この鏡の前に、透明な筐体からなるケース１１８を配置すればよい。
【００６１】
鏡１１９等からなる反射構造の存在により、光を反射して内部のペットＰを明るく見せることができるとともに、ペットＰの裏側も正面側から視認可能にすることができる。前述のように顧客側空間１１２から離れた位置に設置されたペット収容室１１６でも視認性が良好となり、前述のブース構造１１１と相まって斬新で効果的な展示ができる。複数のペット収容室１１６を、デザイン性を重視して隙間をあけて形成すると、より斬新な展示ができる。
【００６２】
さらに、準店員側空間１１４の長手方向の両端には、図１３に示したように、前記店員側空間１１３への店員用出入口１２１が形成されている。店員用出入口１２１には、引き戸１２１ａが備えられ、店員側空間１１３との間が遮断され、店員側空間１１３が隠蔽される。店員側空間１１３には、ペットＰを管理するために必要な種々の設備が設けられる。このため、展示販売ケース１１とペット収容室１１６のペットＰを管理する店員側にとっては作業性がよい。図１３、図１４中、１２２は、その他のペット展示スペースである。
【００６３】
このようなブース構造１１１においては、顧客ＣＵ１，ＣＵ２から見て手前側の展示販売ケース１１に注意を惹くペット、たとえば人気のペットや珍しいペットを収容し、奥のペット収容室１１６には高価なペットを収容するとよい。顧客ＣＵ１，ＣＵ２は展示販売ケース１１内のペットに惹かれて移動し、奥のペット収容室１１６内のペットにも目が行く。新規な顧客の開拓にもなる。
【００６４】
展示販売ケース１１の前の顧客ＣＵ１，ＣＵ２は展示販売ケース１１を挟んで図１に示したように店員とやり取りができ、このやり取りの最中にでも、展示販売ケース１１のペット収容室２２内のペットＰについてその全体を一目で見ることができるので、ペットの外観、性格など、お互いに錯誤のない取引が可能な販売形態となる。
【００６５】
また、顧客ＣＵ１，ＣＵ２が店員ＣＬとやり取りをして、展示販売ケース１１のペットやペット収容室１１６のペットを抱かせてもらう場合には、店員ＣＬが準店員用空間１１４に顧客ＣＵ１，ＣＵ２を招き入れる。準店員側空間１１４には許可がなければ入れないので、顧客ＣＵ１，ＣＵ２には要人扱いされたような心理が働き、購買意欲をかき立て、販売促進ができる。
【００６６】
図１６は、ブース構造１１１の他の例を示す概略平面図で、図１３に示したブース構造１１１と違って、展示販売ケース１１を平面視Ｖ字状に配設している。２本の直線状に配設された連結部分の間には、平面視三角形状の連結台１２３を置いて、隙間を塞いでいる。この連結台１２３の高さは、展示販売ケース１１の基台部３１の高さと同じに設定し、連結台１２３の上面には、装飾品やペット用玩具、販売情報などを展示しておくとよい。
【００６７】
このように展示販売ケース１１を配設したブース構造１１１では、準店員側空間１１４の長手方向（図１６の矢印Ａ参照）から来た顧客ＣＵ１，ＣＵ２にも、また購入意思のない者にも、展示販売ケース１１内のペットＰを積極的にアピールすることができる。この結果、奥のペット収容室１１６のペットＰについても認識させることができ、販売促進を図ることができる。
【００６８】
図１７は、ブース構造１１１の他の例を示す概略平面図で、図１３に示したブース構造１１１と違って、準店員側空間１１４が平面視Ｌ字状に形成されている。これに伴って、展示販売ケース１１も、ペット収容室群１１７も、平面視Ｌ状をなすように配置されている。
【００６９】
このように展示販売ケース１１を配設したブース構造１１１では、店舗内のコーナー部分を有効に利用して、コーナー部分に向かういずれの方向から来る者にでも、目立つように展示することができる。
【００７０】
以上の構成はこの発明を実施するための一形態であり、その他の形態を採用することもできる。  
たとえば、排気路４１は、立設壁２２ｂ自体に直接通気孔を形成して、構成することもできる。
【００７１】
図１８に示したように、ペット収容部２１の前面２１ａと上面２１ｂを１枚の板材３０で構成することもできる。このとき、その板材３０の前面２１ａと上面２１ｂの間には湾曲面２１ｅが形成される。湾曲面２１ｅがあるので、斜めから見下ろしたときに角が出ないため、視野が広くなって見やすくなる。また、前面２１ａを垂直ではなく、下側ほど手前側に傾くように傾斜させる。すると、子どもの顧客ＣＵ２にとっても、切り立った感じがなく、より見やすい展示ができる。
【符号の説明】
【００７２】
１１…ペット用展示販売ケース
２１…ペット収容部
２１ａ…前面
２１ｂ…上面
２１ｃ…側面
２１ｄ…後面
２２…ペット収容室
２２ａ…内底面
２２ｂ…立設壁
２６…間仕切り
２９ｃ…入り口
３１…基台部
４１…排気路
Ｐ…ペット
Ｆ…床面
【図１】
2011024644.tif 000003
【図２】
2011024644.tif 000004
【図３】
2011024644.tif 000005
【図４】
2011024644.tif 000006
【図５】
2011024644.tif 000007
【図６】
2011024644.tif 000008
【図７】
2011024644.tif 000009
【図８】
2011024644.tif 000010
【図９】
2011024644.tif 000011
【図１０】
2011024644.tif 000012
【図１１】
2011024644.tif 000013
【図１２】
2011024644.tif 000014
【図１３】
2011024644.tif 000015
【図１４】
2011024644.tif 000016
【図１５】
2011024644.tif 000017
【図１６】
2011024644.tif 000018
【図１７】
2011024644.tif 000019
【図１８】
2011024644.tif 000020